(57)【要約】【課題】面光源を試料の近傍に配置した簡易な構成で暗視野照明を行えること。【解決手段】本発明の照明装置は、光射出面１２ａの各点から光軸ＯＡを中心にほぼ対称に一様な輝度で白色光を射出する面光源１２と、面光源１２が射出する光に対して不透明な部材で形成され、面光源１２から試料８に直接照射される光を遮光する遮光板１０と、内側面に形成した反射面１１ａによって面光源１２から射出した光の一部を反射して試料８を照明する円筒ミラー１１とを備える。【選択図】        図１
2006171025.tif 000002
【特許請求の範囲】
【請求項１】
発光した光を射出する所定の大きさの光射出面を有し、該光射出面に垂直な光軸に対して略回転対称な所定範囲の射出角で照明光を射出する面光源と、
前記光射出面に対向して配置される試料と前記光射出面との間に配置され、前記光射出面から前記試料に直接照射される照射光を遮光する遮光手段と、
前記試料と前記光射出面との間の前記光軸の周囲に配置され、前記照明光を反射して前記試料を照明する反射照明手段と、
を備えたことを特徴とする照明装置。
【請求項２】
発光した光を射出する所定の大きさの光射出面を有し、該光射出面に垂直な光軸に対して略回転対称な所定範囲の射出角で照明光を射出する面光源と、
前記光射出面に対向して配置される試料と前記光射出面との間に配置され、少なくとも前記光軸を含む１つの平面内で前記光射出面から射出された光の透過角度を制限する光指向手段と、
前記試料と前記光指向手段との間の前記光軸の周囲に配置され、前記光指向部材を透過した前記照明光を反射して前記試料を照明する反射照明手段と、
を備えたことを特徴とする照明装置。
【請求項３】
前記試料と前記光射出面との間に配置され、前記光射出面から前記試料に直接照射される照射光を遮光する遮光手段を備えたことを特徴とする請求項２に記載の照明装置。
【請求項４】
前記光軸の周りに前記光指向手段を回転させる回転駆動手段を備えたことを特徴とする請求項２または３に記載の照明装置。
【請求項５】
前記光指向手段は、前記光軸に沿って複数層配置され、
前記回転駆動手段は、前記光軸の周りに前記複数層配置された光指向手段のうち少なくとも１層の前記光指向手段を回転させることを特徴とする請求項４に記載の照明装置。
【請求項６】
互いに特性の異なる複数の前記光指向手段を保持し、各光指向手段を選択的に切り換える選択切換手段を備えたことを特徴とする請求項２または３に記載の照明装置。
【請求項７】
前記光指向手段は、前記光軸に沿って複数層配置され、
前記選択切換手段は、前記複数層配置された光指向手段のうち少なくとも１層の光指向手段に対して、互いに特性の異なる複数の前記光指向手段を保持し、各光指向手段を選択的に切り換えることを特徴とする請求項６に記載の照明装置。
【請求項８】
前記光指向手段は、底面の円を同心円状に配列した複数の相似な中空切頭円錐状の不透明部材と、該複数の不透明部材を保持する透明保持部材とによって形成されることを特徴とする請求項２〜７のいずれか一つに記載の照明装置。
【請求項９】
前記光指向手段は、底面の多角形の各重心を重ねて配列した複数の相似な中空切頭角錐状の不透明部材と、該複数の不透明部材を保持する透明保持部材とによって形成されることを特徴とする請求項２〜７のいずれか一つに記載の照明装置。
【請求項１０】
前記光指向手段は、羽板状に配列した複数の帯状の不透明部材と、該複数の不透明部材を保持する透明部材とによって形成されることを特徴とする請求項２〜７のいずれか一つに記載の照明装置。
【請求項１１】
前記光指向手段は、ルーバーフィルムであることを特徴とする請求項８〜１０のいずれか一つに記載の照明装置。
【請求項１２】
前記遮光手段は、前記光軸に垂直な平面内で該光軸に対して回転対称に形成されることを特徴とする請求項１または３に記載の照明装置。
【請求項１３】
前記遮光手段は、前記光軸に垂直な平面内で少なくとも直交する２方向に関して前記照射光を遮光する遮光量が異なることを特徴とする請求項１または３に記載の照明装置。
【請求項１４】
前記遮光手段は、前記光軸に垂直な平面内で該光軸を中心とした楕円形状に形成されることを特徴とする請求項１２に記載の照明装置。
【請求項１５】
前記反射照明手段は、前記光軸に沿った円筒面の内側面を反射面として形成し、該反射面によって前記照明光を反射して前記試料を照明することを特徴とする請求項１〜１３のいずれか一つに記載の照明装置。
【請求項１６】
実体顕微鏡に搭載されることを特徴とする請求項１〜１４のいずれか一つに記載の照明装置。
【発明の詳細な説明】
【技術分野】
【０００１】
本発明は、面光源を備えた照明装置に関し、特に顕微鏡に適用して好適な照明装置に関するものである。
【背景技術】
【０００２】
従来、光学顕微鏡用の照明装置では、ハロゲンランプ等の白色光源の各点から射出した光をコレクタレンズによって集光し、視野絞り、開口絞りおよび拡散板等を介した後、コンデンサレンズによって平行光に変換して試料を照明するケーラー照明が利用されている。ケーラー照明によると、光源の発光強度分布によらず、試料を均一に照明することができる。
【０００３】
このようなケーラー照明を利用した照明装置は、種々の光学部品、機械部品等を用いるため構成が複雑であり、組み立てや調整に手間がかかるとともに製造コストが高いという問題がある。この問題を解決するため、平面状の発光面を有した蛍光灯を面光源として用い、簡易な構成で試料をムラなく照明する照明装置が提案されている（たとえば、特許文献１参照）。この照明装置では、広角に光を射出し発光強度分布が一様な発光面を試料の近傍に配置することによって、構成部品を削減するとともに試料に対して均一に明視野照明を行うようにしている。
【０００４】
【特許文献１】特許第３１９４９０９号公報
【発明の開示】
【発明が解決しようとする課題】
【０００５】
しかしながら、このような面光源を用いた照明装置では、広角に光を射出する面光源を試料の近傍に配置し、試料に対して暗視野照明を行うことができなかった。また、透明な試料に対して陰影をつけることが困難であり、たとえば、実体顕微鏡によって透明な試料を観察した場合、試料を認識することができなくなる場合が生じるという問題があった。
【０００６】
本発明は、上記に鑑みてなされたものであって、面光源を試料の近傍に配置した簡易な構成で試料に対して暗視野照明を行うことができるとともに、透明な試料に対して様々に陰影をつけることが可能であり、実体顕微鏡によって常に試料を観察することができる照明装置を提供することを目的とする。
【課題を解決するための手段】
【０００７】
上記の目的を達成するために、本発明の請求項１にかかる照明装置は、発光した光を射出する所定の大きさの光射出面を有し、該光射出面に垂直な光軸に対して略回転対称な所定範囲の射出角で照明光を射出する面光源と、前記光射出面に対向して配置される試料と前記光射出面との間に配置され、前記光射出面から前記試料に直接照射される照射光を遮光する遮光手段と、前記試料と前記光射出面との間の前記光軸の周囲に配置され、前記照明光を反射して前記試料を照明する反射照明手段と、を備えたことを特徴とする。
【０００８】
また、本発明の請求項２にかかる照明装置は、発光した光を射出する所定の大きさの光射出面を有し、該光射出面に垂直な光軸に対して略回転対称な所定範囲の射出角で照明光を射出する面光源と、前記光射出面に対向して配置される試料と前記光射出面との間に配置され、少なくとも前記光軸を含む１つの平面内で前記光射出面から射出された光の透過角度を制限する光指向手段と、前記試料と前記光指向手段との間の前記光軸の周囲に配置され、前記光指向部材を透過した前記照明光を反射して前記試料を照明する反射照明手段と、を備えたことを特徴とする。
【０００９】
また、本発明の請求項３にかかる照明装置は、上記の発明において、前記試料と前記光射出面との間に配置され、前記光射出面から前記試料に直接照射される照射光を遮光する遮光手段を備えたことを特徴とする。
【００１０】
また、本発明の請求項４にかかる照明装置は、上記の発明において、前記光軸の周りに前記光指向手段を回転させる回転駆動手段を備えたことを特徴とする。
【００１１】
また、本発明の請求項５にかかる照明装置は、上記の発明において、前記光指向手段は、前記光軸に沿って複数層配置され、前記回転駆動手段は、前記光軸の周りに前記複数層配置された光指向手段のうち少なくとも１層の前記光指向手段を回転させることを特徴とする。
【００１２】
また、本発明の請求項６にかかる照明装置は、上記の発明において、互いに特性の異なる複数の前記光指向手段を保持し、各光指向手段を選択的に切り換える選択切換手段を備えたことを特徴とする。
【００１３】
また、本発明の請求項７にかかる照明装置は、上記の発明において、前記光指向手段は、前記光軸に沿って複数層配置され、前記選択切換手段は、前記複数層配置された光指向手段のうち少なくとも１層の光指向手段に対して、互いに特性の異なる複数の前記光指向手段を保持し、各光指向手段を選択的に切り換えることを特徴とする。
【００１４】
また、本発明の請求項８にかかる照明装置は、上記の発明において、前記光指向手段は、底面の円を同心円状に配列した複数の相似な中空切頭円錐状の不透明部材と、該複数の不透明部材を保持する透明保持部材とによって形成されることを特徴とする。
【００１５】
また、本発明の請求項９にかかる照明装置は、上記の発明において、前記光指向手段は、底面の多角形の各重心を重ねて配列した複数の相似な中空切頭角錐状の不透明部材と、該複数の不透明部材を保持する透明保持部材とによって形成されることを特徴とする。
【００１６】
また、本発明の請求項１０にかかる照明装置は、上記の発明において、前記光指向手段は、羽板状に配列した複数の帯状の不透明部材と、該複数の不透明部材を保持する透明部材とによって形成されることを特徴とする。
【００１７】
また、本発明の請求項１１にかかる照明装置は、上記の発明において、前記光指向手段は、ルーバーフィルムであることを特徴とする。
【００１８】
また、本発明の請求項１２にかかる照明装置は、上記の発明において、前記遮光手段は、前記光軸に垂直な平面内で該光軸に対して回転対称に形成されることを特徴とする。
【００１９】
また、本発明の請求項１３にかかる照明装置は、上記の発明において、前記遮光手段は、前記光軸に垂直な平面内で少なくとも直交する２方向に関して前記照射光を遮光する遮光量が異なることを特徴とする。
【００２０】
また、本発明の請求項１４にかかる照明装置は、上記の発明において、前記遮光手段は、前記光軸に垂直な平面内で該光軸を中心とした楕円形状に形成されることを特徴とする。
【００２１】
また、本発明の請求項１５にかかる照明装置は、上記の発明において、前記反射照明手段は、前記光軸に沿った円筒面の内側面を反射面として形成し、該反射面によって前記照明光を反射して前記試料を照明することを特徴とする。
【００２２】
また、本発明の請求項１６にかかる照明装置は、上記の発明において、実体顕微鏡に搭載されることを特徴とする。
【発明の効果】
【００２３】
本発明にかかる照明装置によれば、面光源を試料の近傍に配置した簡易な構成で試料に対して暗視野照明を行うことができるとともに、透明な試料に対して様々に陰影をつけることが可能であり、実体顕微鏡によって常に試料を観察することができる。
【発明を実施するための最良の形態】
【００２４】
以下、添付図面を参照して、本発明にかかる照明装置の好適な実施の形態を詳細に説明する。なお、この実施の形態によりこの発明が限定されるものではない。また、図面の記載において、同一部分には同一の符号を付している。
【００２５】
（実施の形態１）
まず、本発明の実施の形態１にかかる照明装置について説明する。図１は、この実施の形態１にかかる照明装置と、この照明装置を搭載した実体顕微鏡との概略構成を示す模式図である。図１に示す実体顕微鏡は、顕微鏡用架台としての透過照明架台１を備える。透過照明架台１は、水平に配置されたベース部１ａと、ベース部１ａに直立して設けられた支柱部１ｂとからなる。照準装置２は、支柱部１ｂに挿着され、可動部２ｂの側面部に設けられた照準ハンドル１２の操作に対応して、内蔵した図示しない照準機構によって固定部２ａに沿って可動部２ｂを上下動させる。可動部２ｂに固定されたズーム鏡体３、ズーム鏡体３の下部に設けられた対物レンズ４およびズーム鏡体３の上部に設けられた双眼鏡筒５は、それぞれ内部にレンズ系を備え、試料８からの光を集光して像を結像する。ズーム鏡体３は、側面部に設けられたズームハンドル１３の操作に対応して内部のレンズ系を駆動し、試料８の像の結像倍率を変化させる。双眼鏡筒５は、接眼レンズ６を備え、検鏡者は、この接眼レンズ６を介して試料８を観察することができる。
【００２６】
ベース部１ａは、対物レンズ４に対向した上面部に開口部１ａａを有し、この開口部１ａａには、試料８を載置する透明な試料載置板としてのガラスプレート７が嵌め込まれている。ガラスプレート７の下方にあってベース部１ａの内部には、この実施の形態１にかかる照明装置を構成する面光源１２、遮光板１０および円筒ミラー１１が配置されている。円板状の面光源１２は、透過照明架台１の底部内側面に配置され、円板状の遮光板１０は、ベース部１ａの内部に形成された支持部１ａｃによって支持された透明な樹脂プレート９の上面部に配置され、円筒状の円筒ミラー１１は、ベース部１ａの内部の円筒状の穴部１ａｂに嵌め込まれている。面光源１２は、上面の光射出面１２ａの中心に立てた法線を光軸ＯＡとし、この光軸ＯＡが対物レンズ４の中心軸である光軸と一致するように配置されている。また、遮光板１０は、上下面の中心を結ぶ中心線が光軸ＯＡと一致するように配置され、円筒ミラー１１は、円筒面に平行な中心軸が光軸ＯＡと一致するように配置されている。このようにして面光源１２、遮光板１０および円筒ミラー１１は、図２に示すように、ガラスプレート７の上方から見て光軸ＯＡを中心とした同心円をなすように配置されている。ここで、図２は、面光源１２、遮光板１０、円筒ミラー１１および樹脂プレート９を示す平面図である。
【００２７】
なお、参照する図面上には、この発明にかかる照明装置等に対して便宜的に設定したＸＹ座標軸を示している。たとえば、図１に示すように、この実施の形態１にかかる照明装置および実体顕微鏡では、検鏡者の左右方向に対応する紙面に垂直な方向をＸ軸とし、検鏡者の前後方向に対応する紙面内の左右方向をＹ軸としている。
【００２８】
面光源１２は、蛍光灯、ＬＥＤ等を用いて実現され、商用電源に接続される電源部１２ｂから電力供給を受け、光射出面１２ａの各点から光軸ＯＡを中心にほぼ対称に一様な輝度で白色光を射出する。なお、面光源１２は、少なくとも光軸ＯＡに対してほぼ回転対称であるとともに偏斜した所定範囲の射出角で白色光を射出すればよい。このような面光源１２として、たとえば、光射出面１２ａの各点において、この光射出面１２ａ上の点を共通の頂点とし、中心軸を光軸ＯＡとほぼ平行にして配置した頂角の異なる２つの円錐によって挟まれる空間に光を射出し、光軸ＯＡとほぼ同じ方向には光を射出しないような面光源としてもよい。また、たとえば、面光源１２は、光軸ＯＡに対して１方向に偏斜した光を射出し、この面光源１２を光軸ＯＡ周りに回転させるようにしてもよい。なお、面光源１２の形状は、円板状に限らず、中空円板状、矩形平板状等であってもよい。また、面光源１２が射出する光は、白色光に限らず、赤、緑、青等の有色の光を射出するようにしてもよい。
【００２９】
遮光板１０は、面光源１２が射出する光に対して不透明な部材で形成されたプレートであって、面光源１２から射出され光の一部を遮光する。遮光板１０は、特に面光源１２から試料８に直接照射される光を遮光するとともに、面光源１２からガラスプレート７を透過して対物レンズ４に直接入射する光を遮光する。なお、遮光板１０は、プレートに限らず、シートあるいはフィルム等であってもよい。また、遮光板１０は、光学的に完全に不透明でなくてもよく、たとえば、濃度フィルタのように所定の透過率で面光源１２からの光を透過するようにしてもよく、さらに、透過面内で透過率分布を有するようにしてもよい。なお、遮光板１０の遮光面である上下面の形状は、円形に限らず、楕円形、矩形等、用途に応じて任意形状でよい。
【００３０】
円筒ミラー１１は、内側面に形成した反射面１１ａによって面光源１２から射出した光の一部を反射し、試料８を照明する。なお、反射面１１ａは、円筒面に限らず、たとえば、微小な頂角をなす切頭円錐面として、光軸ＯＡに対して微小に傾斜するようにしてもよい。また、反射面１１ａは、一様な曲面に限らず、たとえば、全面に微小な凹凸加工等を施した面として、反射した光を発散、収束、拡散等させるようにしてもよい。なお、円筒ミラー１１の外形は、円筒形に限らず、角筒形等、任意形状でよい。
【００３１】
図３は、試料８に対する照明状態を示すＹ方向の断面図である。図３に示すように、たとえば、光射出面１２ａ上の点Ｐ１から射出した光のうち、光軸ＯＡを基準とした射出角が大きい射出光ＩＬ１−１，ＩＬ１−２は、反射面１１ａによって反射され、試料８を照明し、同様に、射出光ＩＬ１−１，ＩＬ１−２に挟まれた範囲の射出光も試料８を照明する。一方、点Ｐ１から射出した光のうち、射出角が小さく試料８を直接照射するように射出した射出光ＩＬ２は、遮光板１０によって遮光される。このように、光射出面１２ａ上の各点から射出した光のうち、所定範囲の大きな射出角で射出した光は、反射面１１ａによって反射され、照明光として試料８を照明し、小さな射出角で試料８を直接照射するように射出した光は、遮光板１０によって遮光される。図３では、この状態をＹ方向の断面内で例示しているが、実際には光軸ＯＡを中心軸として回転対称に生じている。
【００３２】
ここで、射出光ＩＬ１−１，ＩＬ１−２として例示したように、この実施の形態１にかかる照明装置では、試料８を照明する照明光は、試料８からの光を受光する対物レンズ４の開口数に対応する角度よりも大きな入射角で試料８を照明するようにしている。これによって、この照明装置では、試料８に対し、対物レンズ４に直接入射しない偏斜光で照明する暗視野照明を行うことができるとともに、透明な試料８に陰影をつけることができる。この場合、対物レンズ４は、試料８を観察する光として、試料８で生じた散乱光および回折光だけを受光することになる。ただし、この照明装置では、図３に射出光ＩＬ３として示したように、面光源１２から射出して対物レンズ４に直接入射する光が生じるため、図１に示した実体顕微鏡では、ある程度明るい背景の中で試料８の像を観察することになる。これを回避するため、光射出面１２ａの大きさは、試料８の照明に影響がない範囲で小さくすることが好ましく、遮光板１０の遮光面よりも小さくすることが望ましい。
【００３３】
なお、図１に示すような双眼の実体顕微鏡では、一般にＸ方向に並んだ２本の光軸によって右目用および左目用に独立して試料８の像を結像するため、試料８のＸ方向に陰影が生じた場合、左右の目で観察される試料８の像は異なる陰影を有し、観察しにくいものとなる。この問題を回避するため、Ｘ方向に強い陰影が生じないようにすることが好ましく、たとえば、遮光板１０の遮光面を楕円形にするとよい。これによると、楕円の短軸をＸ方向に平行とし、試料８に対して面光源１２からの光をある程度直接照射するようにして、試料８のＸ方向に生じる陰影を弱めることができる。また、たとえば、遮光板１０を濃度フィルタとし、少なくとも遮光面内のＸ方向に透過率分布を設け、試料８をＸ方向から直接照明する光の透過率を高めて光量を増やすことによって、試料８のＸ方向に生じる陰影を弱めることができる。なお、これらの遮光板１０を光軸ＯＡの周りに任意に回転可能とし、試料８に生じる陰影を光軸ＯＡ周りに変化できるようにしてもよい。
【００３４】
以上説明したこの実施の形態１にかかる照明装置では、面光源１２から射出した光のうち、所定範囲の大きな射出角で射出した光は、反射面１１ａによって反射して試料８を照明し、小さな射出角で試料８を直接照射するように射出した光は、遮光板１０によって遮光するようにしているため、簡易な構成で試料８に対して暗視野照明を行うことができるとともに、透明な試料８に対して陰影をつけることができる。また、たとえば、遮光板１０の遮光面の形状を楕円形とし、あるいは、遮光板１０を濃度フィルタとして透過率分布を設けることによって、Ｘ方向の陰影を軽減することができる。さらに、これらの遮光板１０を回転させることによって、光軸ＯＡ周りに様々に陰影を変化させることができる。
【００３５】
（実施の形態２）
つぎに、本発明の実施の形態２について説明する。上述した実施の形態１では、遮光板１０によって、面光源１２から小さな射出角で試料８を直接照射するように射出した光を遮光していたが、この実施の形態２では、遮光板１０に代えて光指向部材を用い、試料８を直接照射する光を遮光するようにしている。
【００３６】
図４は、本発明の実施の形態２にかかる照明装置の構成および実体顕微鏡の一部構成を示す模式図である。図４に示すように、この実施の形態２にかかる照明装置は、実施の形態１にかかる照明装置が備えた遮光板１０および樹脂プレート９に代えて光指向部材１３を備える。その他の構成は、実施の形態１と同じであり、同一構成部分には同一符号を付している。
【００３７】
光指向部材１３は、ルーバーフィルムによって実現されている。図５−１は、光指向部材１３であるルーバーフィルムの部分構成を模式的に示す斜視図である。図５−１に示すように、光指向部材１３は、羽板状に配列された複数の帯状の不透明部材１３ａと、この複数の不透明部材１３ａを保持する透明保持部材１３ｂとによって形成されている。不透明部材１３ａは、面光源１２が射出する光に対して不透明であり、透明保持部材１３ｂは、この光に対して透明である。不透明部材１３ａは、全体として平板状の透明保持部材１３ｂの上下面に対して傾斜している。
【００３８】
図５−２は、面光源１２によって光指向部材１３を照明した場合の照明光の状態を模式的に示す断面図である。図５−２に示すように、不透明部材１３ａの長手方向に直交するY方向断面内では、光射出面１２ａ上の点Ｐ２から射出した光のうち、各不透明部材１３ａの隙間を通過する射出光ＩＬ４−２，ＩＬ４−３は光指向部材１３を透過し、不透明部材１３ａと交差する射出光ＩＬ４−１，ＩＬ４−４，ＩＬ４−５は光指向部材１３によって遮光される。ここで、射出光ＩＬ４−２は、光指向部材１３を透過できる射出光のうち、射出角がもっとも大きな射出光であり、射出光ＩＬ４−３は、射出角がもっとも小さな射出光である。一方、不透明部材１３ａの長手方向に平行な断面であって、不透明部材１３ａの面にほぼ平行な断面内では、光射出面１２ａから射出したすべての射出光が光指向部材１３を透過し、不透明部材１３ａの面と交差する断面内では、光射出面１２ａから射出した任意の射出光が光指向部材１３によって遮光される。すなわち、光射出面１２ａ上の点Ｐ２から射出した光のうち、射出光ＩＬ４−２，ＩＬ４−３をそれぞれ含むＸ軸に平行な２つの平面によって挟まれた空間に射出される射出光は光指向部材１３を透過し、この他の射出光は光指向部材１３によって遮光されることになる。ここで、射出光ＩＬ４−２，ＩＬ４−３の射出角は、各不透明部材１３ａの間隔および傾斜角の少なくとも一方を変更して調整することができる。たとえば、各不透明部材１３ａの間隔を大きくすることによって、光指向部材１３に垂直に入射する射出光ＩＬ４−３を透過させることができる。
【００３９】
この実施の形態２にかかる照明装置では、光指向部材１３を全体として円板状に成形し、この円板の中心を基準に不透明部材１３ａを同心円状に成形している。図６は、円筒ミラー１１および光指向部材１３を示す平面図である。図６に示すように、光指向部材１３は、光軸ＯＡが不透明部材１３ａの同心円の中心を通るように配置されている。また、各不透明部材１３ａは、図４に示したように、内向きの法線が仰角をなすように光軸ＯＡに対して回転対称に傾斜している。
【００４０】
図７は、試料８に対する照明状態を示すＹ方向断面図である。図７に示すように、たとえば、光射出面１２ａ上の点Ｐ１から射出した光のうち、射出角が大きい射出光ＩＬ１−１，ＩＬ１−２は、反射面１１ａによって反射され、試料８を照明し、同様に、射出光ＩＬ１−１，ＩＬ１−２に挟まれた範囲の射出光も試料８を照明する。一方、点Ｐ１から射出した光のうち、射出角が小さく試料８を直接照射するように射出した射出光ＩＬ２は、光指向部材１３によって遮光される。このように、光射出面１２ａ上の各点から射出した光のうち、所定範囲の大きな射出角で射出した光は、反射面１１ａによって反射され、照明光として試料８を照明し、小さな射出角で試料８を直接照射するように射出した光は、光指向部材１３によって遮光される。図７では、この状態をＹ方向の断面内で例示しているが、実際には光軸ＯＡを中心軸として回転対称に生じている。
【００４１】
この実施の形態２にかかる照明装置では、実施の形態１に示した照明装置と同様に、試料８を照明する照明光は、対物レンズ４の開口数に対応する角度よりも大きな入射角で試料８を照明するようにしている。これによって、この照明装置でも、試料８に対して暗視野照明を行うことができるとともに、透明な試料８に陰影をつけることができる。さらに、この照明装置では、実施の形態１に示した照明装置で対物レンズ４に直接入射していた射出光ＩＬ３を光指向部材１３によって遮光することができるため、完全な暗視野照明を実現することができる。
【００４２】
なお、試料８のＸ方向に強い陰影が生じないようにするため、たとえば、不透明部材１３ａのＸ方向の間隔を大きくし、照明光が試料８に入射する角度範囲を大きくするようにしてもよく、さらに間隔を大きくし、試料８に対して面光源１２からの光をある程度直接照射するようにしてもよい。さらに、このようにした光指向部材１３を光軸ＯＡの周りに任意に回転可能とし、試料８に生じる陰影を光軸ＯＡの周りに変化できるようにしてもよい。
【００４３】
また、図８に示すように、不透明部材１３ａの間隔を大きくした光指向部材１３’を用い、試料８に対する照明光の光量を増加させるようにしてもよい。この場合、面光源１２からの射出角の小さい光が不透明部材１３ａの隙間を透過して試料８を直接照明するようになるため、遮光板１０を光指向部材１３’の上面部に配置し、この直接照明する光を遮光することが望ましい。
【００４４】
さらに、不透明部材１３ａを同心円状に配列した光指向部材１３に代えて、たとえば図９に示すように、ＸＹ平面内で大きさの異なる相似な六角形をなす複数の不透明部材１４ａの各重心を重ねて配列した光指向部材１４を用いるようにしてもよい。この場合、六角形の各辺に対応した扇板状の光指向部材１４−１〜１４−６の側面を互いに接合し、全体として円板状の光指向部材１４を形成するようにしてもよい。ここで、六角形状に成形した各不透明部材１４ａは、内向きの法線が等しい仰角をなすように光軸ＯＡに対して傾斜するようにしている。また、各不透明部材１４ａは、面光源１２から試料８を直接照明する射出角の小さい光が生じないように間隔を小さくしている。このような光指向部材１４を用いることによって、光指向部材１３と同様に試料８に対して暗視野照明を行うことができるとともに、透明な試料８に陰影をつけることができる。なお、各不透明部材１４ａの間隔を大きくした光指向部材１４’を用い、試料８に対する照明光の光量を増加させた場合、図１０に示すように、遮光板１０を光指向部材１４’の上面部に配置して試料８を直接照明する光を遮光するようにすればよい。また、光指向部材１４，１４’ではＸＹ平面内の不透明部材の配列形状を六角形としたが、これに限らず任意の多角形でよい。
【００４５】
以上説明したこの実施の形態２にかかる照明装置では、面光源１２から射出した光のうち、所定範囲の大きな射出角で射出した光は、反射面１１ａによって反射して試料８を照明し、小さな射出角で試料８を直接照射するように射出した光は、光指向部材１３，１４によって遮光するようにしているため、簡易な構成で試料８に対して暗視野照明を行うことができるとともに、透明な試料８に対して陰影をつけることができる。さらに、この照明装置では、面光源１２から対物レンズ４に直接入射する光を光指向部材１３によって遮光するようにしているため、完全な暗視野照明を実現することができる。また、不透明部材１３ａ，１４ａの配列間隔を大きくし、試料８に対する照明光の光量を増加させた場合、光指向部材１３，１４の上面部に遮光板１０をさらに設けるようにして、暗視野照明を行うことができる。
【００４６】
（実施の形態３）
つぎに、本発明の実施の形態３について説明する。上述した実施の形態２では、不透明部材１３ａを回転対称に配列した光指向部材１３を用い、試料８の全方向に対して暗視野照明を行うようにしていたが、この実施の形態３では、不透明部材を羽板状に配列した光指向部材を用い、試料８の所定方向に対して暗視野照明を行うとともに、この方向を任意に変更できるようにしている。
【００４７】
図１１は、本発明の実施の形態３にかかる照明装置の構成および実体顕微鏡の一部構成を示す模式図である。図１１に示すように、この実施の形態３にかかる照明装置は、実施の形態２にかかる照明装置が備えた光指向部材１３に代えて光指向部材１５を備え、この光指向部材１５の上面部に遮光板１０をさらに備える。また、この照明装置は、回転駆動部１６を新たに備える。この円筒状の回転駆動部１６は、ベース部１ａ内部の円筒形の穴部１ａｂに嵌合して配置され、筒内部に光指向部材１５を保持し、検鏡者の操作に応じて光軸ＯＡの周りに光指向部材１５および遮光板１０を回転させる。なお、回転駆動部１６は、蓋部材１７によって穴部１ａｂから脱落しないように支持されている。その他の構成は、実施の形態２と同じであり、同一構成部分には同一符号を付している。
【００４８】
図１２は、光指向部材１５、遮光板１０、回転駆動部１６およびこの回転駆動部１６を駆動させるための操作機構を示す平面図である。図１２に示すように、ベース部１ａの上面端部で光軸ＯＡからＸ方向の位置に回転軸１８と、この回転軸１８を中心に回転可能な円板状の回転つまみ１９とが設けられている。さらに、回転つまみ１９の外周側面にはローレット加工が施されたギア１９ａが設けられており、同様にローレット加工が施された回転駆動部１６の外周側面とギア１９ａとが接し、互いのローレット加工部分が噛み合うことで、ギア１９ａの回転が回転駆動部１６に伝えられる。回転つまみ１９およびギア１９ａの外周部の一部は、ベース部１ａの側面部から突出しており、検鏡者は、この突出部分を回転軸１８の周りに回転させることによって、回転駆動部１６とともに光指向部材１５および遮光板１０を光軸ＯＡの周りに回転させることができる。なお、ここでは回転駆動部１６をギア１９ａによって手動で回転させるように示したが、たとえば、ステッピングモーター、ボイスコイルモーター、圧電素子等の駆動機構をさらに設けて、ギア１９ａを自動で駆動できるようにしてもよく、あるいは、回転駆動部１６を直接自動で回転できるようにしてもよい。
【００４９】
図１３は、光指向部材１５であるルーバーフィルムの部分構成を模式的に示す斜視図である。図１３に示すように、光指向部材１５は、羽板状に配列された複数の不透明部材１５ａと、この複数の不透明部材１５ａを保持する透明保持部材１５ｂとからなる。不透明部材１５ａは、全体として平板状の透明保持部材１５ｂの上下面に対して垂直にして配列されている。なお、光指向部材１５では、不透明部材１５ａは全面に一様に配列されている。
【００５０】
図１４−１および図１４−２は、試料８に対する照明状態を示す断面図であり、それぞれ図１２に示した光指向部材１５の状態に対応してＹ方向断面およびＸ方向断面を示している。図１４−１に示すように、Ｙ方向断面内では、たとえば、光射出面１２ａ上の点Ｐ１から射出した光のうち、射出角が大きい射出光ＩＬ１−１，ＩＬ１−２、およびこの射出光ＩＬ１−１，ＩＬ１−２に挟まれた範囲の射出光は、光指向部材１５によって遮光され、射出角が小さく試料８を直接照射するように射出した射出光ＩＬ２は、遮光板１０によって遮光される。一方、図１４−２に示すように、Ｘ方向断面内では、たとえば、光射出面１２ａ上の点Ｐ３から射出した光のうち、射出角が大きい射出光ＩＬ５−１，ＩＬ５−２、およびこの射出光ＩＬ５−１，ＩＬ５−２に挟まれた範囲の射出光は、反射面１１ａによって反射され、試料８を照明する。また、点Ｐ３から射出した光のうち、射出角が小さく試料８を直接照射するように射出した射出光ＩＬ６は、遮光板１０によって遮光される。このように、光射出面１２ａ上の各点から射出した光のうち、所定範囲の大きな射出角で射出した光は、不透明部材１５ａに平行な断面内で、反射面１１ａによって反射され、照明光として試料８を照明し、不透明部材１５ａに交差する断面内で、光指向部材１５によって遮光される。また、小さな射出角で試料８を直接照射するように射出した光は、任意の断面内で遮光板１０によって遮光される。
【００５１】
この実施の形態３にかかる照明装置では、実施の形態１，２に示した照明装置と同様に、試料８を照明する照明光は、対物レンズ４の開口数に対応する角度よりも大きな入射角で試料８を照明するようにしている。これによって、この照明装置でも、試料８に対して暗視野照明を行うことができるとともに、透明な試料８に陰影をつけることができる。また、この照明装置では、不透明部材１５ａに平行な断面内で暗視野照明を行うことができ、不透明部材１５ａに交差する断面内では、試料８を照明することができないようにしているため、試料８の所定の方向に対してのみ暗視野照明を行うことができる。さらに、光指向部材１５を光軸ＯＡの周りに回転可動に構成しているため、試料８に対して暗視野照明を行う方向を任意に設定することができる。
【００５２】
なお、光指向部材１５は、暗視野照明とは別に、試料８の陰影の状態を調整する目的で照明装置に適用することができる。図１５−１および図１５−２は、試料８に対する照明状態を示す断面図である。図１５−１および図１５−２に示す照明装置は、図１１に示したこの実施の形態３にかかる照明装置から遮光板１０および円筒ミラー１１を削除した構成としている。この場合、図１５−１に示すように、不透明部材１５ａに直交する断面内では、光射出面１２ａ上の各点から射出した光のうち、大きな射出角の光は光指向部材１５によって遮光され、小さな射出角の光が試料８を照明する。これに対し、図１５−２に示すように、不透明部材１５ａに平行な断面内では、小さな射出角の光とともに、大きな射出角の光が試料８を照明する。すなわち、不透明部材１５ａに直交する断面内では、試料８を照射する光の入射角が制限されるため陰影を生じやすく、不透明部材１５ａに平行な断面内では、さまざまな入射角の光が試料８に照射されるため陰影が生じにくい。このため、光指向部材１５を回転駆動部１６によって光軸ＯＡの周りに回転させることで、試料８に陰影をつける方向を変化させることができ、検鏡者は、任意の方向の陰影に対して試料８を観察することができる。
【００５３】
さらに、光指向部材１５に代えて、たとえば図１６に示すように、不透明部材１５ａの傾斜角度を変更した光指向部材２０を用い、試料８の陰影を強調するようにしてもよい。光指向部材２０は、図５−１に示した光指向部材１３と同様に、不透明部材２０ａが透明保持部材２０ｂの上下面に対して傾斜した状態で保持されている。このような光指向部材２０を用いることによって、図１６に示すように、試料８に対し、照射する光を光軸ＯＡに対してすべて偏斜させる偏斜照明を行うことができる。この偏斜照明によって、たとえば図１６では試料８の右側の陰影を強調することができる。また、光指向部材２０を回転駆動部１６によって光軸ＯＡの周りに回転させることで、強調する陰影の方位を変化させることができ、検鏡者は、任意の方位で陰影を強調した試料８を観察することができる。
【００５４】
なお、光指向部材１５，２０は、それぞれ不透明部材１５ａ，２０ａの間隔を変えることによって、試料８に生じる陰影の強さを調整することができる。この場合、間隔を小さくすることによって陰影を強くし、間隔を大きくすることによって陰影を弱くすることができる。
【００５５】
以上説明したこの実施の形態３にかかる照明装置では、１枚の光指向部材１５によって、不透明部材１５ａに交差する断面内で面光源１２からの射出角の大きな射出光を遮光するようにしたが、たとえば図１７に示すように、複数の光指向部材を光軸ＯＡに沿って層状に配置して用いるようにしてもよい。図１７に示す照明装置では、この実施の形態３の照明装置に加えて、遮光板１０の上方にさらに光指向部材１５を配置し、ベース部１ａ内部の穴部１ａｄに嵌合して固定している。この上部の光指向部材１５は、不透明部材１５ａをＸ方向に平行にして固定している。
【００５６】
図１８−１および図１８−２は、上下の光指向部材１５の関係を示す平面図である。図１８−１は、上下の不透明部材１５ａが平行な場合を示し、図１８−２は、上下の不透明部材１５ａが直交した場合を示している。図１８−１に示すように、上下の不透明部材１５ａの方向がＸ方向で一致していると、Ｘ方向で試料８に対して暗視野照明を行うことができる。一方、図１８−２に示すように、下部の不透明部材１５ａの方向がＹ方向に一致し、上部の不透明部材１５ａの方向と直交していると、Ｘ方向およびＹ方向のいずれの方向でも試料８に対して暗視野照明が行われなくなり、結果として、試料８に対して全く照明が行われなくなる。これらの中間の状態では、下部の光指向部材１５が回転駆動部１６によって回転され、下部の不透明部材１５ａの方向がＸ方向からＹ方向に移行するにしたがって、徐々に試料８に対する照明光が減少される。
【００５７】
このように、光指向部材１５を２枚層状に配置して用い、一方の光指向部材１５を回転させることによって、暗視野照明を行う光量を調整することができ、検鏡者は、調整可能な範囲内の任意の照明光量で試料８を観察することができる。なお、ここでは、光指向部材１５を２枚用いて一方を光軸ＯＡの周りに回転できるようにしたが、不透明部材の間隔、傾斜等が異なる光指向部材を用いてもよく、また、このような光指向部材を３枚以上用いてもよく、さらに、複数の光指向部材を光軸ＯＡの周りに回転できるようにしてもよい。このようにすることによって、暗視野照明を行う方向や陰影の状態を調整するなど、さらに様々に試料８に対する照明状態を調整することができる。
【００５８】
なお、光軸ＯＡに沿って層状に配置した複数の光指向部材を、暗視野照明とは別に、試料８の陰影の状態や照明光の光量を調整する目的で照明装置に適用することができる。この場合、たとえば図１９に示すように、遮光板１０および円筒ミラー１１を削除し、光指向部材１５を光軸ＯＡに沿って２枚配置した構成とし、下部の光駆動部材１５を回転駆動部１６によって回転することで、上下の不透明部材１５ａの方向を相対的に変化させ、試料８を照明する光量を調整するとともに、試料８に対する陰影の状態を調整することができる。なお、この場合にも、不透明部材の間隔、傾斜等が異なる光指向部材を用いてもよく、また、このような光指向部材を３枚以上用いてもよく、さらに、複数の光指向部材を光軸ＯＡの周りに回転できるようにしてもよい。
【００５９】
（実施の形態４）
つぎに、本発明の実施の形態４について説明する。上述した実施の形態１〜３では、ベース部１ａの内部に１組の光指向部材、遮光板および円筒ミラーを備えるようにしていたが、この実施の形態４では、ベース部の内部に光指向部材、遮光板、円筒ミラー等の複数の組み合わせを備えるとともに、任意に切り換えられるようにしている。
【００６０】
図２０は、本発明の実施の形態４にかかる照明装置の構成および実体顕微鏡の一部構成を示す模式図である。図２０に示すように、この実施の形態４にかかる実態顕微鏡は、実施の形態１〜３にかかる実体顕微鏡が備えたベース部１ａに代えてベース部１ｃを備え、ベース部１ｃの内部に光指向部材、遮光板、円筒ミラー等の複数の組み合わせを切換可能な機構を設けている。この切換機構は、大きく上下２段に分かれて構成され、上段の切換機構は、ターレット３２、回転軸３３、スペーサー３４およびプランジャー３６を有し、下段の切換機構は、同様に、ターレット４２、回転軸４３、スペーサー４４およびプランジャー４６を有する。これらベース部１ｃおよび切換機構を除く他の構成は、実施の形態１〜３と同じであり、同一構成部分には同一符号を付している。
【００６１】
図２１は、上段の切換機構を示す平面図である。図２０および図２１に示すように、上段の切換機構では、ターレット３２は、回転軸３３によって、回転軸３３の周りに回転可能にしてベース部１ｃに支持されている。スペーサー３２は、ターレット３２が回転する際のガタを制限するように、ベース部１ｃとターレット３２の間に設けられている。ターレット３２は、４つの円形の開口部３２ａ〜３２ｄを有し、各開口部３２ａ〜３２ｄの内部に、それぞれ円筒形の枠３５Ａ〜３５Ｄに組み込まれた光調整部材３１Ａ〜３１Ｄを保持している。プランジャー３６は、ボール３７およびバネ３８を有し、ベース部１ｃの側面部のターレット３２に対向する位置に設けられている。
【００６２】
ターレット３２は、回転軸３３と各開口部３２ａ〜３２ｄとを結ぶ線上にある外周側面部に４つのクリック溝３９Ａ〜３９Ｄを有しており、バネ３８の伸長力によって一部押し出されたボール３７がクリック溝３９Ａ〜３９Ｄのいずれかに落ち込んだ場合、ベース部１ｃに対する回転が規制され、光調整部材３１Ａ〜３１Ｄのうちの１つが試料８と面光源１２との間に配置される。たとえば図２１に示すように、クリック溝３９Ｃにボール３７が落ち込んだ状態では、光指向部材３１Ａが試料８と面光源１２との間に配置される。この状態で、ターレット３２に所定値以上の回転方向の力が加わると、クリック溝３９Ａ〜３９Ｄのいずれかに落ち込んだボール３７が押し出され、ターレット３２は再び回転する。その後、クリック溝３９Ａ〜３９Ｄのいずれか別のクリック溝にボール３７が落ち込んだ場合、再びターレット３２の回転が規制され、光調整部材３１Ａ〜３１Ｄのうちの別の１つが試料８と面光源１２との間に配置される。なお、検鏡者は、ターレット３２のベース部１ｃから突出した部分を操作することによって、ターレット３２を回転させることができる。また、図示しない回転駆動機構により、試料８と面光源１２との間に配置された光調整部材３１Ａ〜３１Ｄを光軸ＯＡの周りに回転することができる。
【００６３】
下段の切換機構は、上段の切換機構と同様に構成されている。ターレット４２は、回転軸４３によって、回転軸４３の周りに回転可能にしてベース部１ｃに支持され、スペーサー４２は、ターレット４２が回転する際のガタを制限するように設けられている。ターレット４２は、４つの円形の開口部４２ａ〜４２ｄを有し、各開口部４２ａ〜４２ｄの内部に、それぞれ円筒形の枠４５Ａ〜４５Ｄに組み込まれた光調整部材４１Ａ〜４１Ｄを保持している。プランジャー４６は、ボール４７およびバネ４８を有し、ベース部１ｃの側面部のターレット４２に対向する位置に設けられている。ターレット４２は、外周側面部に４つのクリック溝４９Ａ〜４９Ｄを有し、ボール４７がクリック溝４９Ａ〜４９Ｄのいずれかに落ち込んだ場合、ベース部１ｃに対する回転が規制され、光調整部材４１Ａ〜４１Ｄのうちの１つが試料８と面光源１２との間に配置される。なお、検鏡者は、ターレット４２のベース部１ｃから突出した部分を操作することによって、ターレット４２を回転させることができる。また、図示しない回転駆動機構により、試料８と面光源１２との間に配置された光調整部材４１Ａ〜４１Ｄを光軸ＯＡの周りに回転することができる。
【００６４】
このような上下２段の切換機構により、この実施の形態４にかかる実体顕微鏡では、光調整部材３１Ａ〜３１Ｄのそれぞれに対して光調整部材４１Ａ〜４１Ｄの任意の１つを組み合わせ、試料８と面光源１２の間に光軸ＯＡに沿って層状に配置させることができる。ここで、光調整部材３１Ａ〜３１Ｄおよび４１Ａ〜４１Ｄには、実施の形態１〜３で示した光指向部材１３，１４，１５，２０、樹脂プレート９等を適用することができる。この場合、遮光板１０に対応して、たとえば図２１に示すように、遮光板３１Ｂａを備えるようにしてもよい。また、円筒ミラー１１に対応して、円筒形の枠３５Ａ〜３５Ｄおよび４５Ａ〜４５Ｄの内側面を反射面としてもよい。さらに、光調整部材３１Ａ〜３１Ｄおよび４１Ａ〜４１Ｄとして、濃度フィルタ、色温度フィルタ、波長選択フィルタ、偏光フィルタ等、種々のフィルタ類を適用してもよく、何も部材を配置せず空穴状態にしてもよい。これらの多彩な組み合わせによって、検鏡者は、試料８に対して暗視野照明、明視野照明、偏斜照明等の種々の照明を行うことができるとともに、試料８に生じる陰影の状態、試料８を照明する光量等を様々に調整することができる。その際、照明する方向、陰影をつける方向など方向性を有するとともに、この方向を光軸ＯＡの周りに回転させることができる。
【００６５】
なお、ターレット３２，４２は、それぞれ４つの光調整部材３１Ａ〜３１Ｄおよび４１Ａ〜４１Ｄを保持するようにしたが、２もしくは３、または５以上の光調整部材を保持するようにしてもよい。また、ベース部１ｃは、上下２段の切換機構を備えるようにしたが、３段以上の切換機構を備えるようにしてもよい。さらに、この切換機構として、ターレット３２，４２を用い、回転駆動することによって光調整部材を切り換えるようにしたが、たとえば、直線的にスライドして切り換えるようにしてもよい。また、これらの切換機構を自動で駆動できるようにしてもよい。
【００６６】
また、上述した実施の形態１〜４では、本発明の照明装置を双眼の実体顕微鏡に搭載するようにしたが、単眼の顕微鏡に搭載するようにしてもよく、生物顕微鏡、工業顕微鏡等の用途を問わず、種々の光学顕微鏡に搭載するようにしてよい。
【図面の簡単な説明】
【００６７】
【図１】本発明の実施の形態１にかかる照明装置の構成を示す模式図である。
【図２】図１に示した照明装置の構成を示す平面図である。
【図３】図１に示した照明装置による照明状態を説明する断面図である。
【図４】本発明の実施の形態２にかかる照明装置の構成を示す模式図である。
【図５−１】図４に示した光指向部材の部分構成を示す斜視図である。
【図５−２】図４に示した光指向部材の透過光の状態を説明する断面図である。
【図６】図４に示した照明装置の構成を示す平面図である。
【図７】図４に示した照明装置による照明状態を説明する断面図である。
【図８】本発明の実施の形態２にかかる照明装置の変形構成を示す断面図である。
【図９】図８に示した光指向部材の構成を示す平面図である。
【図１０】図８に示した照明装置の構成を示す平面図である。
【図１１】本発明の実施の形態３にかかる照明装置の構成を示す模式図である。
【図１２】図１１に示した照明装置の構成を示す平面図である。
【図１３】図１１に示した光指向部材の部分構成を示す斜視図である。
【図１４−１】図１１に示した照明装置による照明状態を説明するＹ方向の断面図である。
【図１４−２】図１１に示した照明装置による照明状態を説明するＸ方向の断面図である。
【図１５−１】図１１に示した光指向部材の陰影に対する作用を説明する断面図である。
【図１５−２】図１１に示した光指向部材の陰影に対する作用を説明する断面図である。
【図１６】不透明部材が傾斜した光指向部材を用いた照明によって陰影を強調する作用を説明する断面図である。
【図１７】本発明の実施の形態３にかかる照明装置の変形構成を示す模式図である。
【図１８−１】図１７に示した照明装置の構成を示す平面図である。
【図１８−２】図１７に示した照明装置の構成を示す平面図である。
【図１９】図１７に示した光指向部材の陰影および照明光量に対する作用を説明する断面図である。
【図２０】本発明の実施の形態４にかかる照明装置の構成を示す模式図である。
【図２１】図２０に示した照明装置の一部構成を示す平面図である。
【符号の説明】
【００６８】
１    透過照明架台
１ａ，１ｃ    ベース部
１ａａ    開口部
１ａｂ，１ａｄ    穴部
１ａｃ    支持部
１ｂ    支柱部
２    照準装置
２ａ    固定部
２ｂ    可動部
３    ズーム鏡体
４    対物レンズ
５    双眼鏡筒
６    接眼レンズ
７    ガラスプレート
８    試料
９    樹脂プレート
１０    遮光板
１１    円筒ミラー
１１ａ    反射面
１２    面光源
１２ａ    光射出面
１２ｂ    電源部
１３，１３’，１４，１４’，１５，２０    光指向部材
１３ａ，１５ａ，２０ａ    不透明部材
１３ｂ，１５ｂ，２０ｂ    透明保持部材
１６    回転駆動部
１７    蓋部
１８    回転軸
１９    回転つまみ
１９ａ    ギア
３１Ａ，３１Ｂ，３１Ｃ，３１Ｄ，４１Ａ，４１Ｂ，４１Ｃ，４１Ｄ    光調整部材
３２，４２    ターレット
３２ａ，３２ｂ，３２ｃ，３２ｄ，４２ａ，４２ｂ，４２ｃ，４２ｄ    開口部
３３，４３    回転軸
３４，４４    スペーサー
３５Ａ，３５Ｂ，３５Ｃ，３５Ｄ，４５Ａ，４５Ｂ，４５Ｃ，４５Ｄ    枠
３６，４６    プランジャー
３７，４７    ボール
３８，４８    バネ
３９Ａ，３９Ｂ，３９Ｃ，３９Ｄ，４９Ａ，４９５Ｂ，４９Ｃ，４９Ｄ    クリック溝
ＩＬ１−１，ＩＬ１−２，ＩＬ２，ＩＬ３，ＩＬ４−１〜ＩＬ４−５，ＩＬ５−１，ＩＬ５−２，ＩＬ６    射出光
ＯＡ    光軸
Ｐ１，Ｐ２，Ｐ３    点
【図１】
2006171025.tif 000003
【図２】
2006171025.tif 000004
【図３】
2006171025.tif 000005
【図４】
2006171025.tif 000006
【図５−１】
2006171025.tif 000007
【図５−２】
2006171025.tif 000008
【図６】
2006171025.tif 000009
【図７】
2006171025.tif 000010
【図８】
2006171025.tif 000011
【図９】
2006171025.tif 000012
【図１０】
2006171025.tif 000013
【図１１】
2006171025.tif 000014
【図１２】
2006171025.tif 000015
【図１３】
2006171025.tif 000016
【図１４−１】
2006171025.tif 000017
【図１４−２】
2006171025.tif 000018
【図１５−１】
2006171025.tif 000019
【図１５−２】
2006171025.tif 000020
【図１６】
2006171025.tif 000021
【図１７】
2006171025.tif 000022
【図１８−１】
2006171025.tif 000023
【図１８−２】
2006171025.tif 000024
【図１９】
2006171025.tif 000025
【図２０】
2006171025.tif 000026
【図２１】
2006171025.tif 000027